(57)【要約】      （修正有）【課題】Ｕ字型本体に、基本セパレータ軸と四角ナット部材をＵ字型本体に溶接で固定して一体に固定された事でセパレータ軸の接続固定する作業に置かれても、非常に負担が軽くなり効率よく作業が先に進まれて、セパレータ軸を接続する事に置かれても気軽な気持ちで接続作業が行なえるセパ締付固定金具の提供。【解決手段】梁側に取り付けてあるピーコンの雌ねじ孔に、Ｕ字型金具本体１の基本セパレータ軸１１の雄ネジ１２を捩じ込んで金具本体の一方に残りの正規のセパレータ軸を挿し通して片方を梁側のピーコン穴に捩じ込んで真直ぐ張った処で、本体の六角頭部６を右方向に回転するだけで、其処の一部分が完全に固定される。【選択図】図１
2018091114.tif 000002
【特許請求の範囲】
【請求項１】
長方形に切断された鉄板をＵ字型にセパレータ軸が入る大きさに折り曲げて鉄板と鉄板の間のＵ字型底面に、基本セパレータ軸の一方をＵ字型底面の内部に設置して電気溶接でＵ字型金具と基本セパレータ軸が固定、Ｕ字型金具本体の中央の上開口部の両側鉄板の一部を四角ナット部材が収まる間隔寸法に鉄板の中央部から振分けて両側の鉄板を四角ナット部材の寸法に切断して、切断された位置に四角ナット部材を設置して、両側の鉄板の周囲と四角ナット部材が電気溶接で固定、締め込みボルト軸と六角頭部が四角ナット部材に設置、Ｕ字型鉄板幅の中央部の四角ナット部材の下バから、両側の鉄板共に同じ側面位置の同じ幅で大径幅の貫通穴を調整セパレータ軸の中程の処まで大径幅の縦長の貫通溝穴に形成して、其処から下方向に基本セパレータ軸の上バまでの間隔内を小径幅の貫通溝穴が、両側の鉄板共に縦長の貫通溝穴に形成して、小径幅の貫通縦穴から基本セパレータ軸の上に硬質固定軸棒が横断方向に落として設置されて、硬質固定軸棒の上に調整セパレータ軸が挿し通されて基本セパレータ軸の上に沿うって設置された処で、基本セパレータ軸と調整セパレータ軸の総長さを測る為に、調整セパレータ軸の一本だけを前後にスライドして所望の長さに位置された処で、締め込みボルト軸の六角頭部を右回転して締め込む事で双方のセパレータ軸の間に設置されてある硬質固定軸棒が両側のセパレータ軸の横方向に練り込んで双方のセパレータ軸が硬く固定するところを特徴とするところのＵ字型に直行セパ締付固定金具。
【請求項２】
長方形に切断された鉄板をＵ字型にセパレータ軸が入る大きさに折り曲げて鉄板と鉄板の間のＵ字型底面に基本セパレータ軸の一方をＵ字型底面の内部に設置して溶接でＵ字型金具本体に固定、Ｕ字型金具本体の内部の間隔横幅をＵ字型底面の上に、約１５ミリ程度上に上がった処からから締め込みボルト軸の外径幅の大きさに内部の間隔幅を直角に鉄板を折り曲げて拡大に上まで同じ間隔幅の寸法に拡げて固定、Ｕ字型金具本体の上鉄板の幅と開口部の芯から両側の鉄板も同じ側面位置の一部を芯から両側に振分けて、四角ナット部材が収まる間隔寸法で両側の鉄板を切断して、切断された位置に四角ナット部材を設置して四角ナット部材の周囲の鉄板を四角ナット部材に溶接で固定して、四角ナット部材の雌ねじ孔に、締付ボルト軸と六角頭部を設置して、Ｕ字型鉄板幅の中央部の四角ナット部材の底部に、硬質固定軸棒の設置場所を設置して、其処から下方向に小径幅の貫通穴がＵ字型底面上基本セパレータ軸が設置されてある上までの間隔内を直行に小径幅の貫通溝穴が形成されて固定、Ｕ字型金具本体のＵ字型底面の基本セパレータ軸の上に硬質固定軸棒が小径幅の貫通穴を通して基本セパレータ軸上に横断方向に設置されて、その上に調整セパレータ軸が硬質固定軸棒の上を横断して基本セパレータ軸に沿うって挿し通されて、双方のセパレータ軸の長さを測る為に調整セパレータ軸の一本だけを前後にスライドして所望の位置に達した処で、六角頭部を右回転する事で締め込みボルト軸で、調整セパレータ軸と硬質固定軸棒が一緒になって奥の方向に締め込まれる時に、硬質固定軸棒が調整セパレータ軸に絡んで半円形に調整セパレータ軸に練り込んで、硬質固定軸棒と調整セパレータ軸が、Ｕ字型金具本体の両側の壁面と調整セパレータ軸の軸面の間に楔を打ち込まれた状態で調整セパレータ軸が両側のＵ字型壁面に挟まれて硬く固定するところを特徴とするところのＵ字型に直行セパ締付固定金具。
【請求項３】
Ｕ字型金具本体のＵ字型底面の内部に、基本セパレータ軸の一方を挿し通してＵ字型金具本体と基本セパレータ軸が一体になる様に溶接で固定、基本セパレータ軸の上に硬質固定軸棒が十字型に基本セパレータ軸に接着して固定、Ｕ字型金具本体に固定された基本セパレータ軸は、梁セパレータ及び、壁、柱、又は、其の他の場所に対する型枠工事のセパレータ軸の接続に、現場内でのセパレータ軸の接続金具として幅広く活躍されるセパレータ接続金具であり、例えば、スラブ上で鉄筋が一面に組まれた場所の中での作業にも活躍される接続金具であり、スラブ上の梁側のセパレータ軸は、梁幅が正規の寸法から梁幅が広く成ったり、又は、狭く成ったりして、正規の長さのセパレータ軸では、合わせられないのであり、この様な状態の現場は、毎回の様にどこの型枠現場でも起こる事であり、例えば、本発明のセパレータ軸接続金具を梁セパレータに使用する場合は、Ｕ字型金具本体の一方端の雄ネジを梁側ピーコンの雌ねじ孔に捩じ込んで固定、一方片方は、梁セパレータ軸の一方を梁ピーコンの雌ねじ孔に螺伍して固定し、残りの軸をＵ字型金具本体孔に挿し通してＵ字型金具本体の六角頭部を右回転する事で、梁セパレータ軸が締付固定されるところを特徴とするところのＵ字型に直行セパ締付固定金具。
【発明の詳細な説明】
【技術分野】
【０００１】  本発明は、建設及び建築現場に用いて使用する物であり、セパレータの長さを調整して、その場所で即座に固定するＵ字型セパレータ接続金具本体である。【０００２】  Ｕ字型に直行セパ締付固定金具は、従来に無い初めて開発されたセパレータ接続固定金具であり、型枠工事に利用されるセパレータ接続固定金具である。
【背景の技術】
【０００３】  従来のセパレータ接続金具は、一つの筒状のセパレータ接続金具であり、セパレータ軸を接続する時は、必ず、一つの筒状の金具の中に、セパレータ軸の向きを違い互いの方向に変えて筒状の穴の中に挿し通して、２本のセパレータ軸を同時に前後にスライドで移動して、２本のセパレータ軸の総長さを測り、所望の長さに位置された処で、締付ボルト軸の六角ナットを右回転して、２本のセパレータ軸を同時に締め込んで固定するように成っているから、２本のセパレータ軸を所望の長さに位置される処までの手間と時間が大場に掛かる。
【０００４】  一般に使用されているセパレータ軸の接続金具は、一つ一つの構造が、セパレータ軸の接続に対して、セパレータ軸を１本１本がバラバラに接続されるためにセパレータ軸の総長さを測る時に、双方のセパレータ軸を前後にスライドしてセパレータ軸の両端部を測る為に、両方のセパレータ軸に安定が無い為に、セパレータ軸の長さを測るのに正確の長さを測るには結構苦労するから、時間も普通安定された物の長さを測る時に比較して時間が余りにも余計に掛かり過ぎる。
【０００５】  前記の様な状態で、現場内でセパレータ軸を接続して居たら、現場内での型枠工事には、工期的に時間と日日が限られて居るから、其れだけに人工を増やしてでも工期を守って仕事を行わなければなりません。以上が現場の規約です。
【０００６】  尚、セパレータ軸の接続金具に付いては、セパレータ軸を接続する時に、セパレータ軸の双方の端部の長さを測る時に出来る限り容易に測れる状態のセパレータ軸の接続を選び、接続された後のセパレータにも安定された物を選ぶ。
【発明の概要】
【発明が解決しようとする課題】
【０００７】  従来のセパレータ軸接続金具の構造的な構成は、２本のセパレータ軸を横に合わせて１本の長さに接続する場合は、接続する２本のセパレータ軸の向きを違い互い委に変えて楕円形の筒状の金具の中にセパレータ軸を挿し通して楕円形の筒状の貫通穴の中央部で、最初から軸ピンが割り込まれて、其処から先にセパレータ軸を挿し通すのにセパレータ軸を左右に振分けて挿し通されていた。
のセパレータ軸を１本の正規の長さ接続する場合は、両側のセパレータ軸を同時に前後にスライドして、所望の長さに位置された処で締付ボルト軸を右回転して締付固定されていたが、セパレータ軸の長さを測って締付固されるまでの時間が、双方のセパレータ軸に安定感が無い為に余りにも時間が長く掛っていた。【０００８】  従来の梁セパレータは、梁型枠の底面型枠を先に組んで、その上片側に梁側型枠の片面を組み立てたら直ぐ梁側に、梁底から５０ミリ上に上がった位置に穴を開けて、その上は梁天から約１３０ミリ下がりの２段に穴を開けて、その穴にピーコンを挿込んで裏側からピーコンを固定する。表面は、梁底の上だけのピーコンの雌ねじ孔にＢセパレータの雄ネジを捩じ込んでＢセパレータ軸の一方にもピーコンを螺合して設置して、梁側の返し型枠の時に下のセパレータ付きのピーコンだけが返し型枠通されて固定されるが、上の穴にはピーコンだけが取り付けて設置されてある。【０００９】  従来の梁落しセパレータの使用に付いては、建築現場のスラブ上の型枠工事付いては、梁、スラブ共に、スラブ上は鉄筋が一面に組まれた後の工事が、型枠大工さんが行う仕事である為に、非常にスラブ上の仕事は難儀な仕事である為に、出来る限り簡単な工法で完全に収まる工法を型枠大工さんの皆様が望まれている【００１０】  従来の梁落としセパレータ軸の仕事の内容に付いては、スラブ上鉄筋が一面に組み込まれてあり、鉄筋の下場にある梁型枠の上縁は、多少に広がったり狭くなったりされてあるが、この様に成った状態の型枠に、鉄筋の間の中に腕を挿し込んで落としコマと落としコマとの間にセパレータ軸の両側に六角ナットをストッパ代わりに捩じ込んで、両側の落とし金具に落として挟んで固定されてつながる仕組みの物ですが、梁幅が毎回の様に狂うためにうまくいきません。【００１１】  本発明のＵ字型に直行セパ締付固定金具本体は、梁セパレータの落としセパレータとして活躍する事も出来ます。その場合は、〔図４〕に記載されてある（１１）基本セパレータ軸の（１２）雄ネジを、梁側型枠に固定されてあるピーコンの雌ねじ孔に直接捩じ込んで螺合して固定、次は〔図１〕に記載されてある（８）硬質固定軸棒を（１１）基本セパレータ軸の上に横断方向に設置して、その上に調整セパレータ軸（１０）を（１１）基本セパレータ軸の上穴に挿し通して基本セパレータ軸に沿うって奥まで挿し通して一方梁側に固定されてあるピーコンの雌ねじ孔に（１０）調整セパレータ軸の雄ネジを挿し込んで螺合して固定してから、（１）Ｕ字型に直行セパレータ締付固定金具本体の（６）六角頭部を右回転する事で締め込みボルト軸が（１０）調整セパレータ軸の軸面を（Ｕ字型本体（２）底面に強く押し付けて強力に梁側のセパレータが固定される。【００１２】  本発明のセパ締付固定金具は、（１０）梁セパレータの接続だけでなくて、セパレータ軸関係の施工方法にの型枠の組立作業の全てに於いて活躍される事が確認されるＵ字型に直行締付固定金具であります。その理由は、セパレータ接続金具の（１）本体に、直接（１１）基本セパレータ軸を溶接で接着固定されてあるから、其れだけに型枠建込の締付固定方法が容易になる事で、一方先に進んだ型枠の建込固定方法��あります。
【課題を解決するための手段】
【００１３】  上記の目的を達するために本発明は、Ｕ字型構造のセパ締付固定金具本体の上開口部に（３）四角ナット部材を溶接で固定、次に（１）Ｕ字型金具本体のＵ字型（２）底面の内部に（１１）基本セパレータ軸を溶接で固定、以上でＵ字型本体に固定された品目は、（３）四角ナット部材と（１１）基本セパレータ軸であり、Ｕ字型金具本体は、Ｕ字型金具本体に四角ナット部材と基本セパレータ軸の二つの部品が加算されて、一つの本体金具に三個の部品名が一つに固定された一体型のＵ字型金具本体である。【００１４】〔図８〕〔図９〕〔１０〕に記載のＵ字型に直セパ締付締付固定金具は、（１）Ｕ字型金具本体の中央部から（２）Ｕ字型底面は、セパレータ軸の径に合わせてＵ字型に折り曲げて、中央部から上は、（６）締め込みボルト軸の外形寸法に合わせて（１）Ｕ字型本体の内部空洞室内を拡大に拡げて（１）内部の（２）底面に（１１）基本セパレータ軸を溶接で（１）Ｕ字型本体の（２）Ｕ字型底面に設置して溶接で固定して、その上に（８）硬質固定軸棒を横断方向に設置してその上に（１０）調整セパレータ軸を（１１）基本セパレータ軸に沿うって上に設置して（６）六角頭部にボックスレンジを挿し込んで、
インパクトで右回転して締め込むと（１０）調整セパレータ軸が（８）硬質固定軸棒共に同時に奥に押し込んで奥に設置されてある（１１）基本セパレータ軸に硬質固定軸棒が練り込み硬質固定軸棒に（１０）調整セパレータ軸が硬質固定軸棒に練り込まれて
（１１）と（１０）の２本のセパレータ軸が硬質固定軸棒に練り込まれて、双方のセパレータ軸が、その場所で固定されて、（１０）調整セパレータ軸の半周囲に（８）硬質固定軸棒が絡んだ状態に接触されて、調整セパレータ軸が固定状態に成り、尚且つインパクトで強く締め込むと（１１）基本セパレータ軸面に（８）硬質固定軸棒と（１０）調整セパレータ軸が強力に絡んで調整セパレータ軸が強力に固定される。【００１５】  前記も説明した様にＵ字型に直締付固定金具に三つの商品名が、一つに固定された事で其れだけにセパレータを固定する事に置かれても、安定感があり、同じ要領でセパレータを接続されて締め付け固定する事に置かれても今までの感覚でセパレータ軸を締付けて固定する感覚が違って其れだけに全てのセパレータ軸が接続されて締付固定される時間が従来よりも短縮されて、次の仕事に取り掛かれる様になり、締付固定されたセパレータ軸の強度は、十分に保持される事が可能である。
【発明の効果】
【００１６】  本発明のＵ字型に直行セパ締付固定金具は、Ｕ字型本体に、基本セパレータ軸と四角ナット部材をＵ字型本体に溶接で固定して一体に固定された事でセパレータ軸の接続固定する作業に置かれても、非常に負担が軽くなり効率よく作業が先に進まれて、セパレータ軸を接続する事に置かれても気軽な気持ちで接続作業が行われる。
【図面の簡単な説明】た処の側面図であり、一部断面図。【００１７】
【図１】Ｕ字型金具本体の基本セパレータ軸に調整セパレータ軸を接続固定し
【図２】Ｕ字型セパ締付金具に調整セパレータを挿し通しているところの正面断面図である。
【図３】角ナット部材の斜視図である。
【図４】Ｕ字型金具の底面に、基本セパレータ軸を挿し通してＵ字型底面胃溶接で固定し、その上の開口部に角ナット部材も溶接で固定した処の側面図である。
【図５】締付ボルトと六角頭部の側面図である。
【図６】調整セパレータ軸の側面図である。
【図７】硬質固定軸棒の側面図である。
【図８】Ｕ字型金具本体の内部空洞室内の一部を締め込みボルト軸の外形寸法に合わせて拡大に拡げて、調整セパレータ軸をＵ字型金具内に挿し通して締付固定する前段階の側面図である。
【図９】Ｕ字型金具本体の内部空洞室内の一部を締め込みボルト軸の外形寸法に合せた寸法に拡大に拡げて硬質固定軸棒を横断方向に挿し通して設置し、その上に調整セパレータ軸を縦方向に挿し通したところの一部断面図である。
【図１０】Ｕ字型金具本体の内部空洞室内が、締め込みボルト軸の外形寸法に合わせた寸法の拡大に合わせて拡げた金具本体の内部に、硬質固定軸棒とセパレータ軸を、それぞれの位置方向に設置してセットされたＵ字型金具本体の六角頭部を右回転してボルト軸で締め込んでいるところの正面断面図である。
【発明を実施するための形態】
【００１８】  本発明を達する為に、Ｕ字型金具本体の内部構造を、締め込みボルト軸の外形寸法に中央部から上幅を拡大にして、基本セパレータ軸をＵ字型金具本体のＵ字型金具の内部底面に溶接で固定して、上に四角ナット部材を溶接で固定した処までが一体型であり、四角ナット部材の（４）雌ねじ穴に（６）締め込みボルト軸を捩じ込んでセットした処で、（５）縦貫通穴から（８）硬質固定軸棒を挿して基本セパレータ軸の上に横断方向に設置した処で（１３）孔から（１０）調整セパレータ軸を挿し通した処で、セパレータ軸の総長さを測る為に、（１０）調整セパレータ軸の一本だけを前後にスライドして所望の位置に達した処で（６）六角頭部を右回転する事で基本セパレータ軸一気に固定される。
【実施例】
【００１９】  以下、本発明の実施の形態の添付図面を参照して説明する。
〔図１〕は、本発明のＵ字型に直セパ締付固定金具の全体を含めた処の側面図であり、（１）Ｕ字型金具本体。（２）Ｕ字型底面。（３）四角ナット部材。
（４）雌ねじ。（５）縦溝の貫通穴。（６）締付ボルト軸と六角頭部
（７）ボルト軸ネジを通す貫通溝孔。（８）固定軸棒。
（１０）調整セパレータ軸。（１１）基本セパレータ軸。
（１２）セパレータ軸の雄ネジである。【００２０】〔図２〕は、Ｕ字型金具本体を正面方見た処の一部断面図であり、（１）Ｕ字型金具本体。（２）Ｕ字型底面。（３）四角ナット部材。（６）雌ねじ孔。（８）硬質固定軸棒。（９）硬質固定軸棒の両端部の鍔。（１０）調整セパレータ軸。（１１）基本セパレータ軸である。【００２１】〔図４〕は、（１）Ｕ字型金具本体の上開口部に、（３）四角ナット部材を設置して溶接で固定。（１）Ｕ字型金具本体の（２）Ｕ字型底面の内部に、（１１）基本セパレータ軸を溶接で固定。された処で、Ｕ字型金具本体の三方の働きが一体化されたのである。（１）Ｕ字型本体。（２）Ｕ字型底面。（３）四角ナット部材。（４）雌ねじ孔。（５）縦溝の貫通穴。（７）締め込み用のボルトの外周ネジ山を通す貫通窓穴。（１１）基本セパレータ軸。（１２）セパレータ軸の雌ねじ。【００２２】〔図３〕。〔図５〕。〔図６。〕〔図７〕が単独の部品であり、〔図３〕の（３）が、四角ナット部材（４）が雌ねじ孔である。〔５〕の（６）が、締付けボルト軸の雄ネジと六角頭部の一体型である。〔６〕の（１０）が、調整セパレータ軸であり（１２）が、雄ネジである。〔７〕の（８）が、硬質固定軸棒であり、（９）が、軸の端部止め鍔である。【００２３】〔図８〕〔図９〕〔図１０〕は、Ｕ字型金具本体の内部室内の横幅を一部、締め込みボルト軸が其の儘の状態で、（１０）調整セパレータ軸を締め込み出来る処まで拡大に拡げて固定した処の図である。【００２４】〔図８〕は、（１）Ｕ字型金具本体。（２）Ｕ字型底面。（３）四角ナット部材。（４）雌ねじ孔。（５）縦溝の貫通穴。（６）締付ボルト軸と六角頭部。（８）硬質固定軸棒。（１０）調整セパレータ軸。（１１）基本セパレータ軸。（１２）セパレータ軸の雄ネジである。【００２５】〔図９〕は、（１）Ｕ字型金具本体。（２）Ｕ字型底面。（３）四角ナット部材。（４）雌ねじ孔。（６）締付ボルト軸と六角頭部。（８）硬質固定軸棒。（９）硬質固定軸棒の両側の軸止め鍔。（１０）調整セパレータ軸。（１１）基本セパレータ軸。  （１４）正規幅の室内空洞。（１５）拡大幅の室内空洞である。【００２６】〔図１０〕は、（１）Ｕ字型金具本体。（２）Ｕ字型底面。（３）四角ナット部材。（６）締付ボルト軸と六角頭部。（８）硬質固定軸棒。（９）硬質固定軸棒の両端部の鍔。（１０）調整セパレータ軸。（１１）基本セパレータ軸。（１４）Ｕ字型正規室内の空洞幅。（１５）締め込みボルト軸を挿し通す拡大幅の空洞室であり、（６）締め込みボルト軸で（１０）調整セパレータ軸と（８）硬質固定軸棒を同時に（２）Ｕ字型底面方向に締め込んでいるところの正面断面図である。【００２７】〔請求項１〕
長方形の鉄板をＵ字型にセパレータ軸が入る大きさに折り曲げて、鉄板と鉄板の間の（２）Ｕ字型底面に、（１１）基本セパレータ軸の一方を（２）Ｕ字型底面の内部に設置して電気溶接で固定、（１）Ｕ字型金具本体の中央上開口部の両側鉄板の一部を（３）四角ナット部材が収まる間隔寸法に中央部から振分けて両側の鉄板を切断して、切断された位置に（３）四角ナット部材を設置して、両側の鉄板（１）の周囲と四角ナット部材が電気溶接で固定して、（６）締め込みボルト軸と六角頭部が（３）四角ナット部材に設置、Ｕ字型鉄板幅の中央部の（３）四角ナット部材の下バから、両側の鉄板共に同じ側面位置に同じ幅で大径幅（７）貫通穴を（１０）調整セパレータ軸の３分の１程度の処まで（７）縦長穴に形成して、其処から下方向に基本セパレータ軸の上バまでの間隔内を（５）小径幅の縦長穴の貫通溝穴に形成して、（５）小径幅の貫通縦穴から基本セパレータ軸の上に、（８）硬質固定軸棒が横断方向設置されて、硬質固定軸棒の上に（１０）調整セパレータ軸が挿し通されて（１１）基本セパレータ軸の上に沿うって設置された処で、（１１）基本セパレータ軸と（１０）調整セパレータ軸の総長さを測る為に、（１０）調整セパレータ軸の一本だけを前後にスライドして所望の長さに位置された処で、（６）締め込みボルト軸の六角頭部を右回転して締め込む事で２本のセパレータ軸の間に（８）硬質固定軸棒が両側のセパレータ軸に横向に練り込んで２本のセパレータ軸が硬く固定されるところを特徴とする処のＵ字型に直行セパ締付固定金具【００２８】  〔請求項２〕
長方形の鉄板をＵ字型に（１０）セパレータ軸が入る大きさに折り曲げて、鉄板と鉄板の間の（２）Ｕ字型底面に（１１）基本セパレータ軸の一方をＵ字型底面の内部に設置して溶接で固定して（１）Ｕ字型金具本体の内部間隔の横幅を（２）Ｕ字型底面から上に約３分の１以上、上の地点から（６）締め込みボルト軸の外周幅の大きさに直角に広げて上まで同じ幅の拡大寸法の間隔幅に拡げて固定、（１）Ｕ字型金具本体の上開口部の芯から両側の一部を両側に振分けて、（３）四角ナット部材が収まる間隔寸法に両側側面の同じ位置の同じ間隔位置に鉄板を切断して、切断された位置に（３）四角ナット部材を設置して両側の周囲の鉄板も同じ位置に電気溶接で固定して、（３）四角ナット部材の雌ねじ孔に、（６）締付ボルト軸と六角頭部を設置、Ｕ字型鉄板幅の中央部の四角ナット部材の（２）底部に、（８）硬質固定軸棒の設置場所を設置して、其処から下方向に（５）小径幅の貫通穴がＵ字型（２）底面の基本セパレータ軸面の上からの間隔内を垂直に（５）貫通穴に形成されて固定し、（１）Ｕ字型金具本体の（２）Ｕ字型底面（１１）基本セパレータ軸の上に（８）硬質固定軸棒が小径幅の貫通穴を通して（１１）基本セパレータ軸上に横断方向に設置されて、その上に（１０）調整セパレータ軸が（８）硬質固定軸棒の上を横断して（１１）基本セパレータ軸に沿うって挿し通されて、双方のセパレータ軸の長さを測る為に（１０）調整セパレータ軸の１本だけを前後にスライドして所望の長さに接したところで（６）六角頭部を右回転する事で締め込みボルト軸が、（１０）調整セパレータ軸と（８）硬質固定軸棒が一緒になって奥の方向に押し込まれる時に（８）硬質固定軸棒が（１０）調整セパレータ軸に絡んで半円形に（１０）調整セパレータ軸に練り込んで（８）硬質固定軸棒と（１０）調整セパレータ軸がＵ字型金具本体の壁面に楔を打ち込まれた状態で、調整セパレータ軸が強力に固定されるところを特徴とするところのＵ字型に直行セパ締付固定金具。【００２９】  〔請求項３〕
Ｕ字型金具本体の（２）Ｕ字型底面のＵ字型内部に、（１１）基本セパレータ軸の一方を挿し通して、（１）Ｕ字型金具本体と（１１）基本セパレータ軸が一体に溶接で固定、（１１）基本セパレータ軸の上に（８）硬質固定軸棒が（１１）基本セパレータ軸に十字型に接着して固定、Ｕ字型金具本体に固定された基本セパレータ軸は、梁セパレータ及び、壁、柱、又は、その他の場所の型枠工事に対する事で、セパレータ軸の寸法が合わない処、又は、セパレータ軸が無い所には、直ぐに活躍されるところが特徴であり、例えば、梁型枠の場合は、スラブ上に置いて、梁鉄筋とスラブ鉄筋が、スラブ上一面に鉄筋が組み込まれてある中で、梁幅型枠が、梁側の上の方で広がったり、狭くなったりして、正規の長さのセパレータ軸が、梁落とし金具にまともに収まらない処が毎回数多く出来るのであり、この様な場所に（１）Ｕ字型金具本体の（１１）基本セパレータ軸の一方雄ネジを梁側のピーコンの雌ねじに捩じ込んで固定、他の一方のセパレータは、梁側に設置されてある梁セパレータ軸の一方を（１）Ｕ字型金具本体の中に挿し通して（６）六角頭部を右回転して締め込む事で（１０）梁調整セパレータ軸が（６）締め込みボルト軸で奥深く挿し込まれて、調整セパレータ軸の軸面を強く締め込んで固定されるところを特徴とする処のＵ字型に直行セパ締付固定金具。【００３０】  前記に記載の内容が、特許請求項の内容文書の説明であるが、実際の処、書類の説明で仕事の内容の事を説明するのに文章で説明する事は、文章が長々になり、なかなか難しい事であります。然し、実施の行動を行って説明する事にしたら手間暇が時間的にかからず、僅かな時間で、簡単に分かり易くご説明されるのでありますが、形式上に於いては仕方ない事です。
【産業上の利用可能性】
【００３１】  本発明のＵ字型に直行セパ締付固定金具の構造は、基本セパレータ軸の一方をＵ字型金具本体のＵ字型底面の内部に溶接で完全に固定された事で、其れに対しての仕事の内容に付きましては、従来に比較して、型枠工事に対して余分のセパレータ軸を持って回る必要がなくなった為に手間を省く事が出来て楽になり、セパレータ軸の接続に対しても、効率よくセパレータ軸の接続が出来て、Ｕ字型金具本体と一体にされたセパレータ接続締付固定金具であるから、どの様な状態で、どんな場所であっても、いち早く型枠工事関係に於けるセパレータ軸の接続関係には活躍される優れた商品であるセパレータ軸のＵ字型に直行セパ締付固定金具。
【符号の簡単な説明】
【００３２】（１）Ｕ字型金具本体。（２）Ｕ字型底面。（３）四角ナット部材。
（４）雌ねじ。（５）縦溝の貫通穴。（６）締付ボルト軸と六角頭部。
（７）締付ボルト軸ねじを通す貫通窓孔。（８）硬質固定軸棒。
（９）硬質固定軸棒の両端部の軸止め鍔。（１０）調整セパレータ軸。
（１１）基本セパレータ軸。（１２）セパレータ軸の雄ネジ。
（１３）セパレータ軸の挿し通し穴。（１４）Ｕ字型空洞室内。
（１５）締付ボルト軸を挿し通す室内空洞である
【図１】
2018091114.tif 000003
【図２】
2018091114.tif 000004
【図３】
2018091114.tif 000005
【図４】
2018091114.tif 000006
【図５】
2018091114.tif 000007
【図６】
2018091114.tif 000008
【図７】
2018091114.tif 000009
【図８】
2018091114.tif 000010
【図９】
2018091114.tif 000011
【図１０】
2018091114.tif 000012